(57)【要約】【課題】表示画像の鑑賞を妨げることなく、記録媒体の着脱及びアクセス状態をユーザに通知するアクセスランプの発光制御を実現する。【解決手段】画像再生装置はメモリカード１０８を挿入するためのスロット１０６を備え、メモリカード１０８に記録された画像データに従ってＬＣＤパネル１０４の画面上に画像を表示してコンテンツ再生を行う。ＬＥＤ１０９は、メモリカード１０８の読み書き動作や挿抜の状態を示すアクセスランプであり、その発光制御がＣＰＵ１７の指示で行われる。画面上でコンテンツ再生が行われる場合、アクセスランプの発光状態を、画像データの再生開始の指示又は再生停止の指示を受けてから一定期間の経過後に変更する。【選択図】図１
2010239505.tif 000002
【特許請求の範囲】
【請求項１】
記録媒体の挿抜が可能であり、挿入された当該記録媒体から画像データを読み出して画面に画像表示するために該画像データを再生する画像再生装置であって、
前記記録媒体への読み書き動作の状態又は前記記録媒体の挿抜状態を示す発光手段と、
前記発光手段の発光状態及び輝度の制御を行う制御手段と、を備え、
前記制御手段は、前記発光手段の発光状態を点灯状態と点滅状態の少なくとも２つの状態のいずれかに設定可能であるとともに、輝度を第１の輝度と当該第１の輝度よりも高い第２の輝度の少なくとも２つの輝度のいずれかに設定可能であり、
前記画像データの再生の開始が指示されてから再生の停止が指示されるまでは前記発光手段を点滅状態に設定し、前記記録媒体が挿入されている状態で前記画像データの再生の開始が指示されるまでの間又は前記画像データの再生の停止が指示されてからは前記発光手段を点灯状態に設定し、
前記画像データの再生の開始が指示された時点又は再生の停止が指示された時点から一定期間が経過するまでは前記発光手段を前記第２の輝度で発光するように設定し、前記一定期間の経過後は前記発光手段を前記第１の輝度で発光するように設定する制御を行うことを特徴とする画像再生装置。
【請求項２】
記録媒体の挿抜が可能であり、挿入された当該記録媒体から画像データを読み出して画面に画像表示するために該画像データを再生する画像再生装置の制御方法であって、
前記記録媒体への読み書き動作の状態又は前記記録媒体の挿抜状態を示すために行う発光手段の発光状態及び輝度の制御により、前記発光手段の発光状態を点灯状態と点滅状態の少なくとも２つの状態のいずれかに設定するとともに、輝度を第１の輝度と当該第１の輝度よりも高い第２の輝度の少なくとも２つの輝度のいずれかに設定する場合、
前記画像データの再生の開始が指示されてから再生の停止が指示されるまでは前記発光手段を点滅状態に設定し、前記記録媒体が挿入されている状態で前記画像データの再生の開始が指示されるまでの間又は前記画像データの再生の停止が指示されてからは前記発光手段を点灯状態に設定するステップと、
前記画像データの再生の開始が指示された時点又は再生の停止が指示された時点から一定期間が経過するまでは前記発光手段を前記第２の輝度で発光するように設定し、前記一定期間の経過後は前記発光手段を前記第１の輝度で発光するように設定するステップと、を有することを特徴とする画像再生装置の制御方法。
【発明の詳細な説明】
【技術分野】
【０００１】
本発明は、コンテンツを再生する画像再生装置及びその制御方法に関し、特にコンテンツを格納する取り外し可能な記録媒体へのアクセス時に発光するランプの発光制御に関するものである。
【背景技術】
【０００２】
近年、メモリカード等の記録媒体に記録された動画像データを再生するテレビジョン装置が知られている。メモリカードを装置本体に差し込み、ユーザ操作に従って画像データの再生が指示されたときに、画像データが記録媒体から読み出されて画像が再生される。この時、メモリカードへのアクセス状態を表示するためのアクセスランプが、一定の輝度で点滅し、再生装置がユーザの指示を受信したことを提示する。つまりこの点滅動作はメモリカードへのアクセスが始まったことを示す。
【０００３】
テレビジョン装置等で広く用いられている赤外線を利用したリモートコントローラは、使用環境によっては正確に指示が伝わらないことがあり、しかも画像データのデコード開始時にタイムラグが発生することがある。よって、ユーザの指示が装置に伝わったか否かをユーザが確実に把握できるようにすることが望ましい。
【０００４】
一方、記録媒体へのアクセスを表示するためのアクセスランプの点滅動作は、表示画像の鑑賞を妨害する虞があり、視聴者からみた場合に点滅が目立たないことが望ましい。このように、アクセスランプの表示動作には、相反する要請が課せられる。
主画面上の表示画像の鑑賞を妨げずに、アクセスランプの輝度を制御する技術は、例えば特許文献１に開示されている。この例では、表示するＵＩ（ユーザインタフェース）用画面の表示サイズに比例して、近傍に配置したＬＥＤ（発光ダイオード）の輝度を可変する制御が示されている。
また、特許文献２では映像の表示状態に応じてＬＥＤの発光輝度を制御する技術が開示されている。
【先行技術文献】
【特許文献】
【０００５】
【特許文献１】特開２００７−２８０２３９号公報
【特許文献２】特開２００７−２２１７１６号公報
【発明の概要】
【発明が解決しようとする課題】
【０００６】
しかしながら、上述の特許文献に開示された従来技術では、画面の表示状態に応じてアクセスランプの輝度が制御されてしまうため、再生動作の開始や停止といった指示に対してユーザに指示結果を伝達するためのフィードバックとはならない。つまり、ユーザの操作指示が装置に伝わったか否かをユーザ自身が把握することについての確実性が低い。
そこで本発明は、記録媒体に保存された画像データの再生を開始し又は停止する指示へのフィードバックをユーザに提示すると共に、表示画像の鑑賞を妨げることなく、記録媒体の着脱及びアクセス状態を通知するアクセスランプ発光制御の実現を目的とする。
【課題を解決するための手段】
【０００７】
上記課題を解決するために、本発明は、記録媒体の挿抜が可能であり、挿入された当該記録媒体から画像データを読み出して画面に画像表示するために該画像データを再生する画像再生装置であって、前記記録媒体への読み書き動作の状態又は前記記録媒体の挿抜状態を示す発光手段と、前記発光手段の発光状態及び輝度の制御を行う制御手段と、を備える。前記制御手段は、前記発光手段の発光状態を点灯状態と点滅状態の少なくとも２つの状態のいずれかに設定可能であるとともに、輝度を第１の輝度と当該第１の輝度よりも高い第２の輝度の少なくとも２つの輝度のいずれかに設定可能であり、前記画像データの再生の開始が指示されてから再生の停止が指示されるまでは前記発光手段を点滅状態に設定し、前記記録媒体が挿入されている状態で前記画像データの再生の開始が指示されるまでの間又は前記画像データの再生の停止が指示されてからは前記発光手段を点灯状態に設定し、前記画像データの再生の開始が指示された時点又は再生の停止が指示された時点から一定期間が経過するまでは前記発光手段を前記第２の輝度で発光するように設定し、前記一定期間の経過後は前記発光手段を前記第１の輝度で発光するように設定する制御を行う。
【発明の効果】
【０００８】
本発明によれば、画像データの再生開始や再生停止の指示が装置に伝わったかどうかをユーザに対して明確に知らせることができる。その際、表示画面の画像鑑賞を妨げることなく、記録媒体の着脱及びアクセス状態をユーザに通知することができる。
【図面の簡単な説明】
【０００９】
【図１】図２乃至図４と併せて本発明に係る画像再生装置の一例を示し、ハードウェア構成を例示した図である。
【図２】画像再生装置の外観について一例を示す正面図である。
【図３】制御動作の流れを例示したフローチャートである。
【図４】主画面表示とアクセスランプ輝度の関係を例示したタイミングチャートである。
【発明を実施するための形態】
【００１０】
以下、本発明の実施形態についてテレビジョン装置への適用例を説明する。図１は本実施形態に係るハードウェア構成の一例を示し、図２はテレビジョン装置の概略的な正面図である。
外部アンテナ１０１はチューナ部１０２に接続され、地上波の放送信号を受信する。そしてチューナ部１０２は符号１１０で示す画像バス１を通じて後段の画像プロセッサ１０３に放送受信データを送出する。画像プロセッサ１０３は、符号１１１で示す画像バス２を通じてＬＣＤ（液晶表示）パネル１０４に接続されており、画像処理されたデータがＬＣＤパネル１０４に送出されて映像が表示される。図２に示す表示画面２０１がＬＣＤパネル１０４の表示面に相当する。
【００１１】
ＣＰＵ（中央演算処理装置）１０７は本装置の制御全般を司る制御装置であり、制御バス１０５を介してチューナ部１０２、画像プロセッサ１０３、ＬＣＤパネル１０４を制御する。ユーザは赤外線リモートコントローラ等の操作手段を用いて装置に指令を通知し、ＣＰＵ１０７がこの通知を受け取って指令に沿って各種の制御を行う。ユーザからの指令を受信するのがＩｒ（赤外線）受信部１１２であり、図２では符号２０５で示す位置に設けられている。
【００１２】
ＣＰＵ１０７に対して、メモリカードスロット（以下単にスロットという）１０６が接続されている。つまり本例では記録媒体としてメモリカード１０８が使用される。取り外し可能な状態でスロット１０６に挿入されたメモリカード１０８の記録データを読み出し、あるいは記録すべきデータをメモリカード１０８に書き込むことができる。スロット１０６は、メモリカード１０８の挿抜を検出するための検出部（不図示）を備えており、その検出結果を示す信号をＣＰＵ１０７に通知する。図２では符号２０２で示す位置にスロット１０６が設けられている。
【００１３】
ＣＰＵ１０７にはメモリカード１０８へのアクセス状態、つまりデータの読み書き動作の状態やメモリカード１０８の挿抜状態を表示するための発光手段としてＬＥＤ１０９が接続されている。ＣＰＵ１０７はＬＥＤ１０９の輝度をＰＷＭ（パルス幅変調）制御によって連続的に可変制御し、ユーザに注意を促すことができる点滅速度をもって点滅制御を行う。ＬＥＤ１０９は、図２に符号２０３で示すようにスロット１０６の挿入口（符号２０２参照）の左脇に設けられている。ＬＥＤ１０９の発光部と、表示画面２０１はユーザから見て同時に視野に入るように装備されていることに注意を要する。
なお図１に示すＬＣＤパネル１０４の表示部やメモリカード１０８以外の構成部分は図２の筐体２０４内に収容されている。
【００１４】
次に、本実施形態に係る装置の動作制御について図３及び図４を用いて説明する。ここで、図３のフローチャートに動作制御の流れを例示し、図４にはアクセスランプ（ＬＥＤ１０９）の発光制御と主画面表示について時間的な遷移の一例を示す。図４に示すようにＬＥＤ１０９の発光制御については複数の発光状態があり、符号４０２乃至４０４、４０６、４０７、４０９、４１０乃至４１２に示す期間によって異なる発光輝度や発光パターンをもってＬＥＤ１０９が制御される。例えば、画像データの再生開始が指示された時点から符号４０４や４０６で示す一定期間が経過するまでの間、第１の発光状態として第２の輝度（これを輝度２とする）をもって点滅状態で動作が行われる。その後、符号４０７に示す期間における第２の発光状態として、第１の輝度（これを輝度１とする）をもって点滅状態で動作が行われる。輝度１は輝度２よりも輝度値が小さい。また、画像データの再生停止が指示された時点から符号４０９や４１０で示す一定期間が経過するまでの間、第３の発光状態として輝度２でＬＥＤ１０９が点灯状態となる。その経過後、符号４１１に示す期間における第４の発光状態では、輝度１でＬＥＤ１０９が点灯状態となる。符号４０３や４１１に示す期間は、メモリカード１０８がスロット１０６に挿入されているが、画像データの再生動作が行われておらず、第５の発光状態としてＬＥＤ１０９が輝度１で点灯する。また、符号４０２や４１２に示す期間は、メモリカード１０８がスロット１０６に挿入されておらず、ＬＥＤ１０９は消灯している。つまり本例では第６の発光状態としてＬＥＤ１０９の消灯状態を含めているが、これを別の発光輝度や発光パターンに変更しても構わない。このようにＬＥＤ１０９の発光状態については、点灯状態又は点滅状態に設定可能であって、輝度値について第１の輝度又は第２の輝度に設定可能である。
【００１５】
以下、図３のステップ３０１乃至３１４に示す処理に従って、図１及び図４を参照しながら本実施形態の動作を説明する。
先ずステップ３０１で動作が開始する。すなわちユーザが赤外線リモートコントローラ等で装置への指示を行うと、これをＩｒ受信部１１２が受信し、ＣＰＵ１０７に通知する。ＣＰＵ１０７は制御バス１０５を通じて、チューナ部１０２、画像プロセッサ１０３、ＬＣＤパネル１０４の制御を行い、ＬＣＤパネル１０４が地上波放送の受信画像を画面上に表示する。図４では、「（４０１）放送表示」で示す期間にて放送番組の画像表示が行われる。但しこの時点でメモリカード１０８がスロット１０６に挿入されていないものとする。つまりＣＰＵ１０７は図４に符号４０２で示す期間に亘ってＬＥＤ１０９が消灯状態となるよう制御する。
【００１６】
次のステップ３０２では記録媒体の有無についてチェックが行われる。ＣＰＵ１０７はスロット１０６の検出部からメモリカード１０８の挿抜に関する検出情報を受け取り、メモリカード１０８の有無を判定する。その結果、メモリカード１０８がスロット１０６に挿入されている場合にはステップＳ３０３に進み、メモリカード１０８がスロット１０６に挿入されていない場合にはステップ３１２に進む。
ステップ３０３では、輝度１でＬＥＤ１０９が点灯する。つまりスロット１０６にメモリカード１０８が挿入されている場合、ＣＰＵ１０７は、ＬＥＤ１０９を予め規定された輝度１で点灯させる。図４に符号４０３で示す期間は、メモリカード１０８が挿入されてから再生開始の指示があるまでの期間を示し、この間に輝度１でＬＥＤ１０９が点灯する。
【００１７】
次のステップ３０４では、再生操作の指示についての有無が判定される。ユーザがリモートコントローラを使用し、メモリカード１０８に記録されている画像データの再生が指示されると、ＣＰＵ１０７はメモリカード１０８から画像データを読み取る。そしてＣＰＵ１０７は、画像バスを通じて画像プロセッサ１０３への画像データの転送を開始させ、ステップ３０５に進む。またユーザからの再生指示がない場合にはステップ３０２に戻る。
【００１８】
ステップ３０５では輝度２でＬＥＤ１０９が点滅する。つまりＣＰＵ１０７は、ＬＥＤ１０９を輝度１よりも高い輝度２で点滅させる。図４では「（４０５）記録データの再生表示」の期間に亘ってメモリカード１０８に記録されている画像データが再生されるが（画像再生処理）、その開始前には符号４０４で示す移行期間が必要である。つまりこの移行期間は、画像データの再生指示があった時刻から、記録データの再生表示の開始時刻までに必要な処理時間を意味する。符号４０４の期間が経過すると、ＬＣＤパネル１０４上の表示が符号４０１に示す放送表示から、符号４０５に示す記録データの再生表示へと切り替わる。ユーザは符号４０４の期間において、装置に対し、自身の再生指示が確かに伝達されたことを確認できる。なお、予め決められた設定に従って、輝度１から輝度２に移行する際に、ＣＰＵ１０７は内蔵のＰＷＭ回路部を使用してＬＥＤ１０９の輝度を段階的に変化させてもよい。また、予め決められた設定に従って、ＬＥＤ１０９が点灯動作から点滅動作に移行する際、ＣＰＵ１０７が段階的に点滅周期を短くして点滅を速くしてもよい。
【００１９】
ステップ３０６では所定の待ち時間（これをＴ１と記す）が経過するまで、時間待ちの処理が行われる。ＣＰＵ１０７は、再生開始の指示が受信された後、待ち時間Ｔ１が経過するまでの間、前記ステップ３０５の処理を継続させる。その後、予め規定された待ち時間Ｔ１が経過するとステップ３０７に進む。この待ち時間は、図４では符号４０６に示す期間の長さに相当する。
【００２０】
次にステップ３０７にて輝度１でＬＥＤ１０９が点滅する。待ち時間Ｔ１が経過した後、記録データの再生表示が行われている期間において、ＣＰＵ１０７はＬＥＤ１０９が輝度１で点滅するよう制御する。その様子を図４では符号４０７の期間に示す。
ステップ３０８では、ユーザによる再生停止の指示が行われたか否かをＣＰＵ１０７が判定する。その結果、再生停止が指示されたと判定された場合にはステップ３０９に進むが、そうでなければステップ３０７に戻る。
【００２１】
ステップ３０９にて輝度２でＬＥＤ１０９が点灯する。つまりＣＰＵ１０７は、ＬＥＤ１０９が輝度２で点灯するよう制御する。この場合、図４に示すように画像データの再生停止の指示があった時刻から、符号４０８に示す放送表示の開始時刻までには、符号４０９に示す移行期間が必要である。この移行期間が経過すると、ＬＣＤパネル１０４の表示が、符号４０５に示す記録データの再生表示から、符号４０８に示す放送表示へと切り替わる。ユーザは符号４０９の移行期間において、装置に対して自身の停止指示が確実に伝達されたことを確認できる。
【００２２】
次のステップ３１０では所定の待ち時間（これをＴ２と記す）が経過するまで時間待ちの処理が行われる。ＣＰＵ１０７は、再生停止の指示が受信された後で、待ち時間Ｔ２が経過するまでの間、前記ステップ３０９の処理を継続する。待ち時間Ｔ２が経過した場合にステップ３１１に進む。この待ち時間Ｔ２は、図４に符号４１０で示す期間の長さに相当する。
ステップ３１１では輝度１でＬＥＤ１０９が点灯する。つまりＣＰＵ１０７は、ＬＥＤ１０９が輝度１で点灯するよう制御する。そしてステップ３０２に戻る。この期間は図４に符号４１１で示す期間に相当する。
【００２３】
次に、ユーザがメモリカード１０８をスロット１０６から抜き取った場合の動作制御を説明する。
ステップ３０２で記録媒体の有無がチェックされ、メモリカード１０８がスロット１０６に挿入されていないため、ステップ３１２に進み、ＣＰＵ１０７は、ＬＥＤ１０９を消灯させる。これは図４に符号４１２で示す期間に相当する。次のステップ３１３にて動作停止の指示の有無が判定される。すなわちユーザがリモートコントローラを使用し、動作停止が指示された場合に、ＣＰＵ１０７によって動作停止の制御を行うべくステップ３１４の処理に移行する。また、動作停止の指示がない場合にはステップ３０２に戻る。ステップ３１４でＣＰＵ１０７は装置の動作を停止させる制御を行い、ＬＣＤパネル１０４による画像表示を終了させる。
【００２４】
以上、本発明の好ましい実施形態について説明したが、前記発光パターンや輝度制御等は例示に過ぎず、本発明は前記実施形態に限定されることなく、その要旨の範囲内で種々の変形及び変更が可能である。
【符号の説明】
【００２５】
１０６  スロット
１０７  ＣＰＵ
１０８  メモリカード
１０９  ＬＥＤ
【図１】
2010239505.tif 000003
【図２】
2010239505.tif 000004
【図３】
2010239505.tif 000005
【図４】
2010239505.tif 000006